(57)【特許請求の範囲】
【請求項１】
ケース本体内に前面が開口する商品陳列空間部が設けられるとともに、ケース本体上部所定箇所に設けられる冷気の吹出口より吹き出される冷気により前記商品陳列空間部内が保冷可能とされており、また、この商品陳列空間部の前面開口を被覆可能とするシート部材を収納可能な収納部を備えたオープンショーケースにおいて、前記ケース本体上部より前方に張り出す前後幅が短寸の天井パネルが設けられ、該天井パネルは、上面と前面とを構成する外装パネルと、裏面を構成する裏面パネルから成り、前記外装パネルの前面は上端が後方に向かって傾斜する傾斜面部で構成され、前記裏面パネルの前方部は、上部に行くに従い後方に傾斜する傾斜面部で構成され、前記裏面パネルの傾斜面部に前記シート部材の収納部が設けられていることを特徴とするオープンショーケース。
【請求項２】
前記収納部は、前記シート部材を巻取り自在な巻取軸と、該巻取軸に巻取られたシート部材の少なくとも下方を被覆するカバー部材とから構成されている請求項１に記載のオープンショーケース。
【請求項３】
前記天井パネルの裏面における前記収納部と前記吹出口との間に、前記商品陳列空間部を照射する照明器具が配設されている請求項１または２に記載のオープンショーケース。
【請求項４】
前記シート部材の引き出し側の端縁部所定箇所に取手部材が設けられており、前記シート部材の収納時において、この取手部材の少なくとも一部が前記庇部の下部よりも下方に突出するようになっている請求項１ないし３のいずれかに記載のオープンショーケース。
【発明の詳細な説明】
【０００１】
【発明の属する技術分野】
本発明は、スーパーマーケット、コンビニエンスストア、またはデパート等の食品売場等において、例えば冷凍食品や生鮮食料品等を陳列するために用いられるオープンショーケースに係わり、特に店舗の非営業時においてオープンショーケースの開口を覆うシート部材を備えるオープンショーケースに関する。
【０００２】
【従来の技術】
従来、スーパーマーケット、コンビニエンスストア、またはデパート等の食品売場等に設置され、冷凍食品や生鮮食料品等を陳列するために用いられるオープンショーケースとして、例えば特開平１０−１５５６０７号公報等に開示されているもの等がある。
【０００３】
このオープンショーケースのケース本体上部より前方に突出する天井パネルの下面には、商品陳列空間部の開口を覆うためのシート部材（一般的にナイトカバーと称されている）の収納具が客側から見えないように設けれられており、非営業時間にはこのシート部材を引き出し、店舗の非営業時における商品陳列空間部からの冷気の漏洩を防止して省エネルギー化を図れるようになっている。
【０００４】
【発明が解決しようとする課題】
しかしながら、特に全高が１，２００〜１，５００ｍｍ程度のいわゆるセミ多段タイプのオープンショーケースにおいては、シート部材の収納具等が設けられる天井パネルが前方に大きく張り出していると、天井パネル自体が客の邪魔になったり、商品陳列空間部における特に上段の陳列棚等に陳列される商品の出し入れの邪魔になることから、天井パネルの前後幅を短寸とすることがある。
【０００５】
このように天井パネルの前後幅を短寸とした場合、店舗の非営業時においてシート部材を引き出して使用する場合、シート部材の収納具が天井パネルの後方に設けられていると、店員等がシート部材をオープンショーケースの前方から引き出しにくくなるといった問題があった。
【０００６】
本発明は、このような問題点に着目してなされたもので、使用時においてシート部材を引き出しやすく、また、不使用時にはシート部材が客側に露呈しないように体裁良く収納出来るオープンショーケースを提供することを目的とする。
【０００７】
【課題を解決するための手段】
上記課題を解決するために、本発明のオープンショーケースは、ケース本体内に前面が開口する商品陳列空間部が設けられるとともに、ケース本体上部所定箇所に設けられる冷気の吹出口より吹き出される冷気により前記商品陳列空間部内が保冷可能とされており、また、この商品陳列空間部の前面開口を被覆可能とするシート部材を収納可能な収納部を備えたオープンショーケースにおいて、前記ケース本体上部より前方に張り出す前後幅が短寸の天井パネルが設けられ、該天井パネルは、上面と前面とを構成する外装パネルと、裏面を構成する裏面パネルから成り、前記外装パネルの前面は上端が後方に向かって傾斜する傾斜面部で構成され、前記裏面パネルの前方部は、上部に行くに従い後方に傾斜する傾斜面部で構成され、前記裏面パネルの傾斜面部に前記シート部材の収納部が設けられていることを特徴としている。この特徴によれば、シート部材の収納部が裏面パネルの傾斜面部に設けられることで、天井パネルの前後幅にかかわらず、シート部材の引き出しをオープンショーケースの前方から容易に行えるとともに、収納されたシート部材が露呈して外観が損なわれることがない。
【０００８】
本発明のオープンショーケースは、前記収納部は、前記シート部材を巻取り自在な巻取軸と、該巻取軸に巻取られたシート部材の少なくとも下方を被覆するカバー部材とから構成されていることが好ましい。
このようにすれば、収納されたシート部材がカバー部材により客側からより見えにくくなるばかりか、カバー部材により保護されて、商品の出し入れの際において商品とカバー部材とが接触しにくくなるため、シート部材への汚れの付着や巻取軸の破損が効果的に防止される。
【０００９】
本発明のオープンショーケースは、前記天井パネルの裏面における前記収納部と前記吹出口との間に、前記商品陳列空間部を照射する照明器具が配設されていることが好ましい。
このようにすれば、収納部内に収納されたシート部材が、照明器具の存在により吹出口より吹き出される冷気の影響を受けにくくなるため、使用時において水滴等が付着された状態でシート部材が収納された場合にあっても、収納部内でシート部材が凍結しにくくなる。
【００１０】
本発明のオープンショーケースは、前記シート部材の引き出し側の端縁部所定箇所に取手部材が設けられており、前記シート部材の収納時において、この取手部材の少なくとも一部が前記庇部の下部よりも下方に突出するようになっていることが好ましい。
このようにすれば、オープンショーケースの前方から取手部材を確認できるため、シート部材を容易に引き出すことが出来る。
【００１１】
【発明の実施の形態】
以下、本発明の実施例を図面に基づいて説明する。図１には、スーパーマーケット等の店舗内に設置される冷凍・冷蔵タイプのオープンショーケース１が示されている。このオープンショーケース１は、いわゆるセミ多段タイプといわれる全高が１，２００〜１，５００ｍｍ程度のものであり、図中断面略逆Ｌ字形状の断熱壁２と、この断熱壁２の両側面に取り付けられる図示しない側壁とからケース本体が構成されている。断熱壁２の内側には、所定間隔を介して断面略逆Ｌ字形状の内壁３が設けられ、断熱壁２と内壁３との間に冷気を循環させるダクト４が形成されているとともに、内壁３の内側が前方に開放する商品陳列用空間部５とされている。
【００１２】
商品陳列用空間部５内には、内壁３の垂直壁３ａ前面に取り付けられた陳列棚６が多段に設けられており、商品を多段に陳列出来るようになっているとともに、各陳列棚６の先端部下面には、下段の陳列棚６の商品を照射する蛍光灯７がそれぞれ取り付けられている。
【００１３】
内壁３の垂直壁３ａの上端には、ダクト４内に連通する冷気の吹出口８が設けられているとともに、商品陳列用空間部５の前方下部には、吹出口８より吹き出された冷気をダクト４内に導く取込口９が設けられている。また、ダクト４内の底部所定箇所には、送風用のファン１０と、ファン１０より送り出された空気を冷却する冷却器１１とがそれぞれ内設されている。
【００１４】
このファン１０を作動させることにより、取込口９より取り込まれ空気は冷却器１１により冷却された後、吹出口８より図中矢印方向に向かって吹き出されて冷気エアカーテンが形成されるようになっているとともに、冷気の一部は取込口９よりダクト４内に取り込まれ、ダクト４内において再び冷却、循環されて吹出口８より再度吹き出されるようになっている。
【００１５】
商品陳列空間部５内は、上部の吹出口８より吹き出される冷気エアカーテンと、垂直壁３ａに設けられる図示しない複数の吹出孔より吹き出される冷気により冷却されるとともに、この冷気エアカーテンにより商品陳列空間部５内への外気の進入が防止されることで、商品陳列空間部５内の温度が適温に保たれるようになっている。
【００１６】
ケース本体を構成する断熱壁２の上部には、図２に示されるように、天井ユニット１２が前方に向けて突設されている。この天井ユニット１２は、天井ユニット１２の上面と前面とを構成する外装パネル１３と、天井ユニット１２の裏面を構成する裏面パネル１４とから中空状に構成されており、この裏面パネル１４の後部下方である垂直壁３ａの上部には、前述した冷気の吹出口８が配設されている。
【００１７】
外装パネル１３の前壁１３ａは、上端が後方に向かって傾斜する傾斜面状に形成されており、この傾斜面部１３ａの裏面側の空間内には、商品陳列空間部５内の温度を計測する温度計の本体部１５が内設されているとともに、傾斜面部１３ａの前面には温度計の目盛り部及び温度調整用の操作部を有する温度表示部１６がそれぞれ設けられている。
【００１８】
裏面パネル１４は、上部にいくに従い後方に傾斜する傾斜面部１４ａと、該傾斜面部１４ａに連設される水平面部１４ｂとがそれぞれ設けられており、この裏面パネル１４の傾斜面部１４ａと外装パネル１３の傾斜面部１３ａとにより、天井ユニット１２の前部に、下方に向けて張り出す庇部２７が構成されている。
【００１９】
傾斜面部１４ａには、店舗の非営業時等において図３に示されるように下方に引き出されて、商品陳列空間部５の前面を覆うシート部材１７を収納可能とする収納部１８が取り付けられており、また、水平面部１４ｂの下面には、商品陳列空間部５内全体を照射するための蛍光灯７が、断面略下向きＣ字状のクリップ２０を介して取り付けられている。なお、本実施例におけるシート部材１７は、低温においても水蒸気の透過特性が維持される特性を有するシート部材が使用されているが、この素材や特性等は特に限定されるものではなく、商品陳列空間部５内を所定の温度に保持しうるものであればどのような素材により構成されていてもよい。
【００２０】
収納部１８は、傾斜面部１４ａに固着された断面略コ字状のブラケット２１と、シート部材１７を巻取り可能な巻取軸２２とから構成されている。巻取軸２２は、その両端がブラケット２１に固設された図示しない支持部材により軸周りに回転自在に支持されているとともに、図示しない付勢手段を介してシート部材１７を巻取る方向に常時付勢されている。なお、ブラケット２１は内向きに開口するように、かつ、下端が外装パネル１３の下端縁部よりも下方に大きく突出しないように設けられているため、オープンショーケース１の前方からは見えにくくなっている。
【００２１】
巻取軸２２に巻取られたシート部材１７の基端部は、係止部材２５によりブラケット２１の所定箇所に係止されているとともに、遊端部の幅方向に取り付けられた取付部材２３の長手方向略中央位置には、巻取られたシート部材１７を引き出すための取手部材２４が取り付けられている。この取手部材２４は特に図示しないが環状に形成されており、シート部材１７を図３に示されるように引き出した際に、断熱壁２の前壁２ａの内面上部所定箇所に突設された下向きの係止ピン２６に係止出来るようになっている。また、この取手部材２４の下部が、シート部材１７の巻取時において外装パネル１３の下端縁部よりも下方に突出するようになっているので、店員等はオープンショーケース１の前方から取手部材２４を確認出来るようになっている。
【００２２】
このように構成される本発明実施例としてのオープンショーケース１にあっては、シート部材１７を収納する収納部１８が、ケース本体上部より前方に向けて突設される天井ユニット１２の前部に形成される庇部２７の裏面である傾斜面部１４ａに設けられているため、天井ユニット１２の前後長さに関わらず、シート部材１７を使用する場合、店員等はオープンショーケース１の前方よりシート部材１７を容易に引き出すことが出来る。
【００２３】
また、シート部材１７の不使用時、すなわちに店舗の営業時において、収納部１８に収納されたシート部材１７は、オープンショーケース１の前方、すなわち客側からは見えにくい状態で収納されるため、外観体裁が損なわれることがない。
【００２４】
また、巻取軸２２に巻取られることにより収納されたシート部材１７の下方がブラケット２１により覆われているので、例えば最上段の陳列棚６の商品の出し入れを行う場合等においても、商品が収納されたシート部材１７に当たってシート部材１７が汚れたり、巻取軸２２の巻取機構等が破損したりする恐れがない。
【００２５】
また、収納部１８と吹出口８とが所定距離離間して設けられているとともに、両者の間には蛍光灯１９が収納部１８の近傍に配設されているので、巻取軸２２に巻取られたシート部材１７は蛍光灯１９の存在により吹出口８より吹き出される冷気の影響を受けにくくなるため、例えば使用時において水滴等が付着された状態でシート部材１７が収納された場合等にあっても、シート部材１７が巻取られた状態で凍結するようなことがない。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
例えば、上記実施例において、庇部２７の裏面が、上部が後方に向かって傾斜する傾斜面部１４ａとなっているが、収納部１８が前方より見えにくい状態で設けられることが可能であれば特に傾斜面でなくてもよく、例えば垂直面であってもよい。
【００２８】
【発明の効果】
本発明は以下の効果を奏する。
【００２９】
（ａ）請求項１項の発明によれば、シート部材の収納部が裏面パネルの傾斜面部に設けられることで、天井パネルの前後幅にかかわらず、シート部材の引き出しをオープンショーケースの前方から容易に行えるとともに、収納されたシート部材が露呈して外観が損なわれることがない。
【００３０】
（ｂ）請求項２項の発明によれば、収納されたシート部材がカバー部材により客側からより見えにくくなるばかりか、カバー部材により保護されて、商品の出し入れの際において商品とカバー部材とが接触しにくくなるため、シート部材への汚れの付着や巻取軸の破損が効果的に防止される。
【００３１】
（ｃ）請求項３項の発明によれば、収納部内に収納されたシート部材が、照明器具の存在により吹出口より吹き出される冷気の影響を受けにくくなるため、使用時において水滴等が付着された状態でシート部材が収納された場合にあっても、収納部内でシート部材が凍結しにくくなる。
【００３２】
（ｄ）請求項４項の発明によれば、オープンショーケースの前方から取手部材を確認できるため、シート部材を容易に引き出すことが出来る。
【図面の簡単な説明】
【図１】本発明の実施例としてのオープンショーケースを示す縦断面図である。
【図２】図１のオープンショーケースの要部拡大断面図である。
【図３】シート部材を引き出した状態のオープンショーケースを示す縦断面図である。
【符号の説明】
１          オープンショーケース
２          断熱壁
２ａ        前壁
３          内壁
３ａ        垂直壁
４          ダクト
５          商品陳列空間部
６          陳列棚
７          蛍光灯
８          吹出口
９          取込口
１０        ファン
１１        冷却器
１２        天井ユニット（天井パネル）
１３        外装パネル
１３ａ      傾斜面部
１４        裏面パネル
１４ａ      傾斜面部
１４ｂ      水平面部
１５        温度計の本体部
１６        温度表示部
１７        シート部材
１８        収納部
１９        蛍光灯（照明器具）
２０        クリップ
２１        ブラケット（カバー部材）
２２        巻取軸
２３        取付部材
２４        取手部材
２５        係止部材
２６        係止ピン
２７        庇部
【図１】
0004102532.tif 000002
【図２】
0004102532.tif 000003
【図３】
0004102532.tif 000004